(57)【要約】【課題】観察者がピントに関して感じる違和感を低減しつつ、コントラスト情報に基づく自動焦点調節方式に適したモニタ用画像を表示する電子カメラを提供する。【解決手段】電子カメラ１は、撮影光学系５１を通して被写体像を撮像し、画像データを出力する撮像素子１３と、画像データによる再生画像を表示する表示手段２０と、撮像素子１３が繰り返し撮像して逐次出力する画像データによる再生画像を、表示手段２０が逐次表示するように撮像素子１３および表示手段２０をそれぞれ制御する制御手段と、画像データに基づいてコントラスト情報を検出し、該コントラスト情報に基づいて撮影光学系５１の焦点調節を行う自動焦点調節手段と、撮像素子１３が表示用の撮像を開始する前に絞り５２を略最小口径へ絞り、自動焦点調節手段が焦点調節を開始する前に絞り５２を所定口径まで開き、自動焦点調節手段による焦点調節後に絞り５２を撮影時の口径へ駆動する絞り制御手段とを備える。【選択図】図１
2009303113.tif 000002
【特許請求の範囲】
【請求項１】
撮影光学系を通して被写体像を撮像し、画像データを出力する撮像素子と、
前記画像データによる再生画像を表示する表示手段と、
前記撮像素子が繰り返し撮像して逐次出力する画像データによる再生画像を、前記表示手段が逐次表示するように前記撮像素子および前記表示手段をそれぞれ制御する制御手段と、
前記画像データに基づいてコントラスト情報を検出し、該コントラスト情報に基づいて前記撮影光学系の焦点調節を行う自動焦点調節手段と、
前記撮像素子が前記表示用の撮像を開始する前に絞りを略最小口径へ絞り、前記自動焦点調節手段が焦点調節を開始する前に前記絞りを所定口径まで開き、前記自動焦点調節手段による焦点調節後に前記絞りを撮影時の口径へ駆動する絞り制御手段とを備えることを特徴とする電子カメラ。
【請求項２】
請求項１に記載の電子カメラにおいて、
前記絞り制御手段は、前記所定口径より前記撮影時の口径が広い場合に前記駆動制御を行い、前記所定口径より前記撮影時の口径が狭い場合は、前記自動焦点調節手段が焦点調節を開始する前に前記絞りを前記撮影時の口径まで開き、前記自動焦点調節手段による焦点調節後も該口径を維持するように駆動制御することを特徴とする電子カメラ。
【請求項３】
撮影光学系を通して被写体像を撮像し、画像データを出力する撮像素子と、
前記画像データによる再生画像を表示する表示手段と、
前記撮像素子が繰り返し撮像して逐次出力する画像データによる再生画像を、前記表示手段が逐次表示するように前記撮像素子および前記表示手段をそれぞれ制御する制御手段と、
前記画像データに基づいてコントラスト情報を検出し、該コントラスト情報に基づいて前記撮影光学系の焦点調節を行う自動焦点調節手段と、
前記制御手段による前記表示用制御の開始とともに絞りを略最小口径へ絞り、前記自動焦点調節手段による焦点調節の開始とともに前記絞りを所定口径まで開き、前記自動焦点調節手段による焦点調節後に前記絞りを撮影時の口径へ駆動する絞り制御手段とを備えることを特徴とする電子カメラ。
【請求項４】
請求項３に記載の電子カメラにおいて、
前記絞り制御手段は、前記所定口径より前記撮影時の口径が広い場合に前記駆動制御を行い、前記所定口径より前記撮影時の口径が狭い場合は、前記自動焦点調節手段による焦点調節の開始とともに前記絞りを前記撮影時の口径まで開き、前記自動焦点調節手段による焦点調節後も該口径を維持するように駆動制御することを特徴とする電子カメラ。
【請求項５】
請求項１または３に記載の電子カメラにおいて、
前記自動焦点調節手段は、操作部材が発する操作信号に応じて焦点調節を開始することを特徴とする電子カメラ。
【請求項６】
請求項１または３に記載の電子カメラにおいて、
前記撮影光学系を有する鏡筒を装着するマウント部材をさらに備え、
前記絞り制御手段は、前記マウント部材に装着されている前記鏡筒から取得した最小口径情報に基づいて前記鏡筒に対して前記略最小口径への絞り駆動を行うことを特徴とする電子カメラ。
【請求項７】
請求項１または３に記載の電子カメラにおいて、
前記絞り制御手段による前記略最小口径への絞り込み量に応じて、前記撮像データに対してゲイン調節するゲイン調節手段をさらに備えることを特徴とする電子カメラ。
【請求項８】
請求項７に記載の電子カメラにおいて、
前記ゲイン調節手段はさらに、前記絞り制御手段による前記所定口径への絞り駆動量に応じて、前記撮像データに対してゲイン調節することを特徴とする電子カメラ。
【請求項９】
請求項８に記載の電子カメラにおいて、
前記ゲイン調節手段はさらに、前記絞り制御手段による前記撮影時の口径への絞り駆動量に応じて、前記撮像データに対してゲイン調節することを特徴とする電子カメラ。
【請求項１０】
請求項１〜９のいずれか一項に記載の電子カメラにおいて、
前記撮影光学系と前記撮像素子との間の光路上に反射光学系をさらに備える一眼レフタイプであることを特徴とする電子カメラ。
【発明の詳細な説明】
【技術分野】
【０００１】
本発明は、電子カメラに関する。
【背景技術】
【０００２】
撮像素子で撮像されているモニタ用画像をスルー画像として表示器に表示する際、絞りを絞り込むことにより、スルー画像を観察する者がピントに関して感じる違和感を低減させる技術が知られている（特許文献１参照）。
【０００３】
【特許文献１】特開２００７−１９６４２号公報
【発明の開示】
【発明が解決しようとする課題】
【０００４】
従来技術では、被写界深度を深くすることでぼけ具合を低減させるので、撮像素子で取得された画像のコントラスト情報に基づいて焦点調節するタイプのＡＦ（オートフォーカス）方式に適さないという問題があった。
【課題を解決するための手段】
【０００５】
（１）請求項１の発明による電子カメラは、撮影光学系を通して被写体像を撮像し、画像データを出力する撮像素子と、画像データによる再生画像を表示する表示手段と、撮像素子が繰り返し撮像して逐次出力する画像データによる再生画像を、表示手段が逐次表示するように撮像素子および表示手段をそれぞれ制御する制御手段と、画像データに基づいてコントラスト情報を検出し、該コントラスト情報に基づいて撮影光学系の焦点調節を行う自動焦点調節手段と、撮像素子が表示用の撮像を開始する前に絞りを略最小口径へ絞り、自動焦点調節手段が焦点調節を開始する前に絞りを所定口径まで開き、自動焦点調節手段による焦点調節後に絞りを撮影時の口径へ駆動する絞り制御手段とを備えることを特徴とする。
（２）請求項１に記載の電子カメラにおいて、絞り制御手段は、所定口径より撮影時の口径が広い場合に駆動制御を行い、所定口径より撮影時の口径が狭い場合は、自動焦点調節手段が焦点調節を開始する前に絞りを撮影時の口径まで開き、自動焦点調節手段による焦点調節後も該口径を維持するように駆動制御することもできる。
（３）請求項２の発明による電子カメラは、撮影光学系を通して被写体像を撮像し、画像データを出力する撮像素子と、画像データによる再生画像を表示する表示手段と、撮像素子が繰り返し撮像して逐次出力する画像データによる再生画像を、表示手段が逐次表示するように撮像素子および表示手段をそれぞれ制御する制御手段と、画像データに基づいてコントラスト情報を検出し、該コントラスト情報に基づいて撮影光学系の焦点調節を行う自動焦点調節手段と、制御手段による表示用制御の開始とともに絞りを略最小口径へ絞り、自動焦点調節手段による焦点調節の開始とともに絞りを所定口径まで開き、自動焦点調節手段による焦点調節後に絞りを撮影時の口径へ駆動する絞り制御手段とを備えることを特徴とする。
（４）請求項３に記載の電子カメラにおいて、絞り制御手段は、所定口径より撮影時の口径が広い場合に駆動制御を行い、所定口径より撮影時の口径が狭い場合は、自動焦点調節手段による焦点調節の開始とともに絞りを撮影時の口径まで開き、自動焦点調節手段による焦点調節後も該口径を維持するように駆動制御することもできる。
（５）請求項１または３に記載の電子カメラにおいて、自動焦点調節手段は、操作部材が発する操作信号に応じて焦点調節を開始することもできる。
（６）請求項１または３に記載の電子カメラはさらに、撮影光学系を有する鏡筒を装着するマウント部材を備えてもよい。この場合の絞り制御手段は、マウント部材に装着されている鏡筒から取得した最小口径情報に基づいて鏡筒に対して略最小口径への絞り駆動を行うこともできる。
（７）請求項１または３に記載の電子カメラにおいて、
絞り制御手段による略最小口径への絞り込み量に応じて、撮像データに対してゲイン調節するゲイン調節手段をさらに備えることを特徴とする電子カメラ。
（８）請求項７に記載の電子カメラにおいて、ゲイン調節手段はさらに、絞り制御手段による所定口径への絞り駆動量に応じて、撮像データに対してゲイン調節することもできる。
（９）請求項８に記載の電子カメラにおいて、ゲイン調節手段はさらに、絞り制御手段による撮影時の口径への絞り駆動量に応じて、撮像データに対してゲイン調節することもできる。
（１０）請求項１〜９のいずれか一項に記載の電子カメラにおいて、撮影光学系と撮像素子との間の光路上に反射光学系をさらに備える一眼レフタイプであってもよい。
【発明の効果】
【０００６】
本発明によれば、観察者がピントに関して感じる違和感を低減しつつ、コントラスト情報に基づく自動焦点調節方式に適したモニタ用画像を表示できる。
【発明を実施するための最良の形態】
【０００７】
以下、図面を参照して本発明を実施するための最良の形態について説明する。図１は、本発明の一実施の形態による一眼レフ電子カメラ１の要部構成を説明する図である。図１において、カメラ本体１０のレンズマウント（不図示）に対して着脱可能に構成される撮影レンズの鏡筒５０が装着されている。
【０００８】
被写体からの光は、鏡筒５０のレンズ光学系５１および絞り５２を介してカメラ本体１０へ入射される。カメラ本体１０に入射した被写体光は、レリーズ前は破線で示すように位置するクイックリターンミラー（以下メインミラーと呼ぶ）１１で上方のファインダ部へ導かれてファインダマット１４に結像する。また、カメラ本体１０に入射した被写体光の一部はサブミラー２１で下方へ反射され、測距素子２２にも結像する。測距素子２２は、後述する位相差検出方式の焦点検出時に用いられる。
【０００９】
ファインダマット１４に結像した被写体光はさらに、ペンタプリズム１５へ入射される。ペンタプリズム１５は入射された被写体光を接眼レンズ１６へ導く一方、その一部をプリズム１７へも導く。プリズム１７へ入射された光は、レンズ１８を介して測光センサ１９へ入射される。測光センサ１９は、被写体像の明るさに応じた光電変換信号を出力する。
【００１０】
レリーズ後はメインミラー１１が実線で示される位置へ回動し、被写体光はシャッター１２を介して撮像素子１３へ導かれ、その撮像面上に被写体像を結像する。撮像素子１３は、画素に対応する複数の光電変換素子を備えたＣＣＤイメージセンサなどによって構成される。撮像素子１３は、撮像面上に結像されている被写体像を撮像し、被写体像の明るさに応じた光電変換信号を出力する。
【００１１】
本実施形態の電子カメラ１は、撮像素子１３による撮像信号を画像記録用、後述するライブビュー表示用、およびコントラスト情報検出用に用いる。コントラスト情報は、後述するコントラスト検出方式の焦点検出時に用いられる。
【００１２】
液晶表示部２０は、カメラ本体１０の背面に配設される。液晶表示部２０は、撮影画像やライブビュー画像などを再生表示する。
【００１３】
図２は、上述した一眼レフ電子カメラ１の回路構成を例示するブロック図である。カメラ本体１０には、タイミングジェネレータ(TG)１０１と、Ａ／Ｄ変換回路１０２と、撮像素子１３と、ＤＳＰ(Digital Signal Processor)１０３と、ＲＡＭ１０４と、フラッシュメモリ１０５と、液晶表示部２０と、ＣＰＵ１０６と、シャッター駆動機構１０７と、ミラー駆動機構１０８と、操作部材１０９と、ＡＦ制御部１１０と、ＡＥ制御部１１１とが設けられている。
【００１４】
＜カメラ本体＞
タイミングジェネレータ(TG)１０１は所定のタイミング信号を発生し、Ａ／Ｄ変換回路１０２、ＤＳＰ１０３および撮像素子１３のそれぞれにタイミング信号を供給する。Ａ／Ｄ変換回路１０２は、撮像素子１３からの光電変換信号（アナログ画像信号）をディジタル信号に変換する。ＤＳＰ１０３は、ディジタル変換後の画像信号に所定の画像処理を施し、さらに必要に応じて圧縮処理を施す。
【００１５】
ＲＡＭ１０４は、ＤＳＰ１０３による処理時に画像データを一時保存する作業用メモリである。フラッシュメモリ１０５は、ＤＳＰ１０３による処理後の画像データを画像ファイルとして蓄積保存するメモリである。液晶表示部２０は、ＤＳＰ１０３による処理後の画像データによる再生画像を表示する。
【００１６】
ＣＰＵ１０６は、マイクロコンピュータなどによって構成される。ＣＰＵ１０６は、各ブロックから出力される信号を入力して所定の演算を行い、演算結果に基づく制御信号を各ブロックへ出力する。ＣＰＵ１０６およびＤＳＰ１０３は、シリアル通信にてお互いの制御を行うように構成される。
【００１７】
シャッター駆動機構１０７は、ＣＰＵ１０６から送出される指示に応じてフォーカルプレーンシャッター１２（図１）のチャージおよび駆動制御を行う。ミラー駆動機構１０８は、ＣＰＵ１０６から送出される指示に応じて、メインミラー１１のミラーアップ（図１において実線で示す位置へ退避させる）駆動、およびミラーダウン（図１において破線で示す位置へ復帰させる）駆動を制御する。
【００１８】
操作部材１０９は、各種設定および選択操作に応じた設定・切換え信号をＣＰＵ１０６へ出力する。操作部材１０９には、露出演算モード（Ｐモード、Ｓモード、Ａモード、Ｍモード）を設定するための露出モード設定ダイヤル、撮像感度（ＩＳＯ感度）を設定するための感度設定ダイヤル、ライブビュースイッチ、ＡＦスイッチ、半押しスイッチおよび全押しスイッチなどが含まれる。
【００１９】
Ｐモードは、所定のプログラム線図にしたがってシャッター速度および絞り値を自動制御するモードである。Ｓモードは、設定されているシャッター速度に応じて絞り値を自動制御するモードである。Ａモードは、設定されている絞り値に応じてシャッター速度を自動制御するモードである。Ｍモードは、設定されているシャッター速度および絞り値を用いて適正露出との偏差を演算するマニュアルモードである。
【００２０】
ライブビュースイッチは、後述するライブビュー表示動作を開始させるためのスイッチである。ＡＦスイッチは、後述する自動焦点調節（ＡＦ）動作を開始させるためのスイッチである。
【００２１】
半押しスイッチおよび全押しスイッチは、レリーズボタン（不図示）の押下操作に連動して、それぞれがオン信号をＣＰＵ１０６へ出力する。半押しスイッチからの半押しオン信号は、レリーズボタンが通常ストロークの半分程度まで押し下げ操作されると出力され、半ストロークの押し下げ操作解除で出力が解除される。全押しスイッチからの全押しオン信号は、レリーズボタンが通常ストロークまで押し下げ操作されると出力され、通常ストロークの押し下げ操作が解除されると出力が解除される。
【００２２】
ＡＦ制御部１０７は測距素子２２（図１）を含む。ＡＦ制御部１０７は、測距素子２２による検出信号を用いて鏡筒５０による焦点調節状態（デフォーカス量）を検出し、検出結果に応じてレンズ光学系５１を構成するフォーカスレンズ（不図示）の移動量を算出する。フォーカスレンズの移動量を示す信号は、ＣＰＵ１０６を介して鏡筒５０側へ送信される。
【００２３】
ＡＥ制御部１０８は測光センサ１９（図１）を含む。測光制御部１０８は、測光センサ１９による検出信号を用いて被写体輝度を算出する。測光制御部１０８はさらに、上記感度設定ダイヤルで設定されている撮像感度、ＣＰＵ１０６で取得されるレンズ情報、および算出した被写体輝度を用いて、上記露出モード設定ダイヤルで設定されている露出演算モードによる演算を行い、絞り値ＡＶおよびシャッター速度ＴＶを決定する。
【００２４】
ＣＰＵ１０６は、カメラ本体１０に装着されている鏡筒５０側のレンズＣＰＵ５０１との間で通信を行う。カメラ本体１０および鏡筒５０間の通信により、絞り値やレンズデータなどのレンズ情報が鏡筒５０からカメラ本体１０へ送信される一方、上記フォーカスレンズの移動量や駆動指示などのレンズ制御情報がカメラ本体１０から鏡筒５０側へ送信される。
【００２５】
＜鏡筒＞
鏡筒５０には、ＣＰＵ５０１と、フォーカス駆動機構５０２と、絞り駆動機構とが設けられている。レンズＣＰＵ５０１は、カメラ本体１０側のＣＰＵ１０６との間で通信を行う。レンズＣＰＵ５０１は、絞り値やレンズデータなどのレンズ情報をカメラ本体１０側へ送信する一方、上記フォーカスレンズの移動量や駆動指示などのレンズ制御情報をカメラ本体１０から取得する。
【００２６】
フォーカス駆動機構５０２は、レンズＣＰＵ５０１から送出される指示に応じて、フォーカスレンズを所定方向へ所定量移動させる。絞り駆動機構５０３は、レンズＣＰＵ５０１から送出される指示に応じた絞り値にするように絞り５２（図１）を所定段数駆動する。
【００２７】
＜位相差検出ＡＦ＞
ＡＦ制御部１０７は、メインミラー１１がダウン時（図１において破線で示す位置）に位相差検出方式によるＡＦ演算を行う。具体的には、レンズ光学系５１の異なる領域を介して入射された一対のデフォーカス量検出用光束による像であって、それぞれが測距素子２２上の異なる位置で撮像されている２つの像の相対位置ずれ量（相対間隔）を求める。
【００２８】
これら一対の被写体像は、レンズ光学系５１が予定焦点面よりも前に被写体の鮮鋭像を結ぶいわゆる前ピン状態では互いに近づき、逆に予定焦点面より後ろに被写体の鮮鋭像を結ぶいわゆる後ピン状態では互いに遠ざかる。予定焦点面において被写体の鮮鋭像を結ぶ合焦状態には、測距素子２２上の一対の被写体像が相対的に一致する。したがって、一対の被写体像の相対位置ずれ量を求めることにより、レンズ光学系５１のフォーカス調節状態、すなわちデフォーカス量が得られる。レンズ光学系５１のフォーカスレンズをデフォーカス量に応じて光軸方向に移動させることにより、レンズ光学系５１のフォーカス調節が行われる。
【００２９】
＜ライブビュー＞
ライブビュー表示は、撮影指示前に撮像素子１３によって所定の時間間隔（たとえば３０フレーム／毎秒）で繰り返し撮像される画像を液晶表示部２０に逐次再生表示させるモニタ用画像の表示のことをいう。メインミラー１１がアップ時（図１において実線で示す位置）は被写体光束がファインダ部へ導かれないため、撮影者は接眼レンズ１６を介して被写体像を確認できない。そこで、一眼レフ電子カメラ１は液晶表示部２０にモニタ用画像を表示させ、被写体像を液晶表示部２０で観察できるようにする。
【００３０】
ＣＰＵ１０６は、ライブビュー表示時にＤＳＰ１０３へ駆動信号の切り替えを指示する。ＴＧ１０１は、撮影用の駆動信号に代えてライブビュー用の駆動信号を撮像素子１３、Ａ／Ｄ変換回路１０２およびＤＳＰ１０３へ供給する。ＲＡＭ１０４は、ＤＳＰ１０３が画像処理する前、画像処理した後、および画像処理途中の画像データを一時的に格納するように制御される。これにより、前フレームの撮像画像のデータに対する処理の終了を待たずに次フレームの撮像が可能にされる。処理が終了したフレームの画像から順に表示データが生成され、液晶表示部２０に逐次表示される（ライブビュー表示）。
【００３１】
＜コントラスト検出ＡＦ＞
メインミラー１１がアップ時は被写体光束が測距素子２２（図１）へ導かれないため、上述したＡＦ制御部１０７によるＡＦ演算を行うことができない。そこで、ＣＰＵ１０６はコントラスト検出方式によるＡＦ演算を行う。ＣＰＵ１０６は、先ずフォーカスレンズの移動を指示する信号を鏡筒５０へ送信する。そして、フォーカスレンズが光軸方向に移動されている状態で撮像素子１３から出力される撮像信号に基づいて公知の焦点評価値演算を行うことにより、画像の高周波成分を尖鋭度に置き換えた焦点評価値（以後コントラスト情報と呼ぶ）を算出する。コントラスト情報は、レンズ光学系５１が撮像素子１３の撮像面上に尖鋭像を結ぶ合焦状態、すなわち、 撮像素子１３によって撮像される被写体像のエッジのボケが最小の状態で最大になる。
【００３２】
コントラスト検出ＡＦ時のＣＰＵ１０６は、焦点評価値が増加する場合はフォーカスレンズを同方向へ移動させ続け、焦点評価値が減少する場合はフォーカスレンズの移動方向を反転させることにより、焦点評価値が最大値をとる位置、すなわち、合焦状態に対応する位置へフォーカスレンズを移動するように鏡筒５０へ指示を送る。フォーカスレンズを以上のように合焦位置へ移動させることにより、鏡筒５０のフォーカス調節が行われる。
【００３３】
＜ライブビュー処理＞
本実施形態は、ライブビュー表示時のコントラスト検出ＡＦ動作に特徴を有するので、以下、ライブビュー表示時にＣＰＵ１０６が実行する処理を中心に、図３に例示するフローチャートを参照して説明する。ＣＰＵ１０６は、操作部材１０９を構成するライブビュースイッチから操作信号が入力された場合に、図３による処理を行うプログラムを起動する。
【００３４】
ステップＳ１０において、ＣＰＵ１０６はミラー駆動機構１０８へ指示を送り、メインミラー１１のアップ駆動を開始させてステップＳ２０へ進む。ステップＳ２０において、ＣＰＵ１０６はレンズＣＰＵ５０１へ指示を送り、絞り５２を最小絞り（口径最小）へ閉駆動させてステップＳ３０へ進む。この際にＣＰＵ１０６は、被写体からの光が減少することによって画像の明るさが低下するので、この低下分を補うように絞り込み段数に応じたゲインアップ処理を施すようにＤＳＰ１０３へ指示を送る。
【００３５】
ステップＳ３０において、ＣＰＵ１０６は、上述したライブビュー表示を開始させてステップＳ４０へ進む。ステップＳ４０において、ＣＰＵ１０６はＡＥ制御部１０８へ指示を送り、絞り値ＡＶおよびシャッター速度ＴＶを決定させてステップＳ５０へ進む。
【００３６】
ステップＳ５０において、ＣＰＵ１０６は、操作部材１０９を構成するＡＦスイッチがＯＮ操作されたか否かを判定する。ＣＰＵ１０６は、ＡＦスイッチからオン操作信号が入力された場合にステップＳ５０を肯定判定してステップＳ６０へ進む。ＣＰＵ１０６は、ＡＦスイッチからオン操作信号が入力されない場合には、ステップＳ５０を否定判定してステップＳ１２０へ進む。
【００３７】
ステップＳ６０において、設定Ｆ値（Ｓ４０における決定値）がＦ８以上か否かを判定する。ＣＰＵ１０６は、設定Ｆ値がＦ８以上の場合にステップＳ６０を肯定判定してステップＳ７０へ進む。ＣＰＵ１０６は、設定Ｆ値がＦ８未満の場合にはステップＳ６０を否定判定し、ステップＳ９０へ進む。
【００３８】
ステップＳ７０において、ＣＰＵ１０６はレンズＣＰＵ５０１へ指示を送り、絞り５２を設定Ｆ値へ開駆動させてステップＳ８０へ進む。この場合は、絞り５２が最小絞り値からＦ８以上の設定Ｆ値まで駆動される。この際にＣＰＵ１０６は、被写体からの光が増加することによって画像の明るさが上昇するので、この上昇分を補うように絞り駆動量に応じたゲインダウン処理を施すようにＤＳＰ１０３へ指示を送る。ステップＳ８０において、ＣＰＵ１０６は、上述したコントラスト検出ＡＦ処理を行ってステップＳ１２０へ進む。
【００３９】
ステップＳ６０を否定判定して進むステップＳ９０において、ＣＰＵ１０６はレンズＣＰＵ５０１へ指示を送り、絞り５２をＦ８へ開駆動させてステップＳ１００へ進む。この場合には、絞り５２が最小絞り値からＦ８まで駆動される。この際にＣＰＵ１０６は、被写体からの光が増加することによって画像の明るさが上昇するので、この上昇分を補うように絞り駆動量に応じたゲインダウン処理を施すようにＤＳＰ１０３へ指示を送る。
【００４０】
ステップＳ１００において、ＣＰＵ１０６は、上述したコントラスト検出ＡＦ処理を行ってステップＳ１１０へ進む。ステップＳ１１０において、ＣＰＵ１０６はレンズＣＰＵ５０１へ指示を送り、絞り５２を設定Ｆ値へ開駆動させてステップＳ８０へ進む。この場合、絞り５２がＦ８からＦ８未満の値へ駆動される。この際にＣＰＵ１０６は、被写体からの光が増加することによって画像の明るさが上昇するので、この上昇分を補うように絞り駆動量に応じたゲインダウン処理を施すようにＤＳＰ１０３へ指示を送る。
【００４１】
ステップＳ１２０において、ＣＰＵ１０６は、レリーズスイッチがＯＮ操作されたか否かを判定する。ＣＰＵ１０６は、操作部材１０９を構成する全押しスイッチから全押しオン信号が入力された場合にステップＳ１２０を肯定判定してステップＳ１３０へ進む。ＣＰＵ１０６は、全押しスイッチから全押しオン信号が入力されない場合には、ステップＳ１２０を否定判定してステップＳ１４０へ進む。
【００４２】
ステップＳ１３０において、ＣＰＵ１０６は撮影処理を行ってステップＳ１４０へ進む。撮影処理の詳細については後述する。ステップＳ１４０において、ＣＰＵ１０６は、ライブビュー終了が指示されたか否かを判定する。ＣＰＵ１０６は、操作部材１０９を構成するライブビュースイッチから再び操作信号が入力された場合にステップＳ１４０を肯定判定してステップＳ１５０へ進む。ＣＰＵ１０６は、ライブビュースイッチから操作信号が入力されない場合にはステップＳ１４０を否定判定し、ステップＳ４０へ戻る。
【００４３】
ステップＳ１５０において、ＣＰＵ１０６はミラー駆動機構１０８へ指示を送り、メインミラー１１のダウン駆動を開始させて図３による処理を終了する。
【００４４】
＜撮影処理＞
撮影処理の流れについて、図４に例示するフローチャートを参照して説明する。図４のステップＳ１３１において、ＣＰＵ１０６は、撮像素子１３を初期化（電荷排出など）させてステップＳ１３２へ進む。ステップＳ１３２において、ＣＰＵ１０６は撮像素子１３に撮影用の電荷蓄積および蓄積電荷の掃き出しをさせてステップＳ１３３へ進む。
【００４５】
ステップＳ１３３において、ＣＰＵ１０６はＤＳＰ１０３へ指示を送り、撮像画像に対して所定の画像処理を行わせてステップＳ１３４へ進む。
【００４６】
ステップＳ１３４において、ＣＰＵ１０６はＤＳＰ１０３へ指示を送り、画像ファイルをフラッシュメモリ１０５に記録させて図４による処理を終了する。
【００４７】
以上説明した処理は、一眼レフ電子カメラ１の操作部材１０９から操作信号が入力されない状態が所定時間以上継続した場合には終了する。
【００４８】
以上説明した実施形態によれば、次の作用効果が得られる。
（１）撮像素子１３で表示用の撮像を始める前に、絞り５２を最小口径絞りへ絞るようにしたので（ステップＳ２０）、レンズ光学系５１の焦点深度が絞り５２を絞らない場合に比べて深くなる。これにより、液晶表示部２０で最初に観察される（ステップＳ３０）ライブビュー画像のピント外れ領域（ぼけ領域）が減少するから、観察者がピントに関して感ずる違和感を低減できる。
【００４９】
（２）コントラスト検出ＡＦ処理を始める前に、絞り５２を上記（１）による最小口径絞りから所定口径（たとえば、Ｆ８相当）へ開くようにしたので（ステップＳ９０）、撮像される被写体像が明るくなる上に、コントラスト検出ＡＦに適した焦点深度が得られる。これにより、ピントが合っていないにもかかわらず画像ぼけが少ない（コントラストが高まる）状態が解消されるので、合焦精度を高めることができる。
【００５０】
（３）コントラスト検出ＡＦ処理後は、絞り５２を上記（２）による所定口径（Ｆ８相当）からステップＳ４０で決定された絞り値ＡＶに対応する口径へ制御するようにしたので、撮影時に用いられるであろう絞り状態で得られる画像の被写界深度を液晶表示部２０の画面で確認することができる。
【００５１】
（４）ステップＳ４０で決定された絞り値ＡＶに対応する口径が所定口径（Ｆ８相当）より広い場合に上記（２）および（３）の制御を行い、上記絞り値ＡＶに対応する口径が所定口径（Ｆ８相当）より狭い場合には、コントラスト検出ＡＦ処理を始める前に、絞り５２を上記（１）による最小口径絞りから上記絞り値ＡＶに対応する口径へ開き（ステップＳ７０）、コントラスト検出ＡＦ処理後も該口径を維持するようにした。ステップＳ７０へ進む場合には、撮影時に用いられるであろう絞り状態でピント合わせを行った上で、得られる画像の被写界深度を液晶表示部２０の画面で確認することができる。
【００５２】
（５）絞り５２を最小口径絞りへ絞る（ステップＳ２０）際に絞り込み量に応じたゲインアップ処理をＤＳＰ１０３で行うようにした。これにより、光量が低下してライブビュー画像の明るさが暗くなることを防止できる。
【００５３】
（６）絞り５２を所定口径（Ｆ８相当）へ開く（ステップＳ９０）際に絞り駆動量に応じたゲインダウン処理をＤＳＰ１０３で行うようにした。これにより、光量が増加してライブビュー画像が明るくなり過ぎることを防止できる。
【００５４】
（７）絞り５２を上記絞り値ＡＶに対応する口径へ開く（ステップＳ１１０）際に絞り駆動量に応じたゲインダウン処理をＤＳＰ１０３で行うようにした。これにより、光量が増加してライブビュー画像が明るくなり過ぎることを防止できる。
【００５５】
（８）絞り５２を上記絞り値ＡＶに対応する口径へ開く（ステップＳ７０）際に絞り駆動量に応じたゲインダウン処理をＤＳＰ１０３で行うようにした。これにより、光量が増加してライブビュー画像が明るくなり過ぎることを防止できる。
【００５６】
（変形例）
メインミラー１１を備えないタイプの電子カメラにも本発明を適用してよい。たとえば、光学的なファインダ部の代わりに電子ビューファインダーを備えるカメラにおいて、電子ビューファインダーにライブビュー画像を表示させる際に適用する。該カメラが電源オン操作された後に自動的にライブビュー画像を電子ビューファインダーに表示させる場合には、電源オン処理後ただちに図３と同様の処理を行うプログラムを起動させればよい。ただし、メインミラー１１を備えないためステップＳ１０およびステップＳ１５０のメインミラー１１に関する処理は不要である。また、ステップＳ１４０における判定処理は、電源オフ操作されたか否かを判定する処理に置き換えればよい。
【００５７】
（Ａ）変形例によれば、ライブビュー表示処理を始めるとともに絞り５２を最小口径絞りへ絞るので（ステップＳ２０）、レンズ光学系５１の焦点深度が絞り５２を絞らない場合に比べて深くなる。これにより、液晶表示部２０で最初に観察される（ステップＳ３０）ライブビュー画像のピント外れ領域（ぼけ領域）が減少するから、観察者がピントに関して感ずる違和感を低減できる。
【００５８】
（Ｂ）コントラスト検出ＡＦ処理を始めるとともに絞り５２を上記（Ａ）による最小口径絞りから所定口径（Ｆ８相当）へ開くようにしたので（ステップＳ９０）、撮像される被写体像が明るくなる上に、コントラスト検出ＡＦに適した焦点深度が得られる。これにより、ピントが合っていないにもかかわらず画像ぼけが少ない（コントラストが高まる）状態が解消されるので、合焦精度を高めることができる。
【００５９】
（Ｃ）コントラスト検出ＡＦ処理後は、絞り５２を上記（Ｂ）による所定口径（Ｆ８相当）からステップＳ４０で決定された絞り値ＡＶへ制御するようにしたので、上記実施形態と同様に、撮影時に用いられるであろう絞り状態で得られる画像の被写界深度を液晶表示部２０の画面で確認することができる。
【００６０】
（Ｄ）ステップＳ４０で決定された絞り値ＡＶに対応する口径が所定口径（Ｆ８相当）より広い場合に上記（Ｂ）および（Ｃ）の制御を行い、上記絞り値ＡＶに対応する口径が所定口径（Ｆ８相当）より狭い場合には、コントラスト検出ＡＦ処理を始めるとともに絞り５２を上記（Ａ）による最小口径絞りから上記絞り値ＡＶに対応する口径へ開き（ステップＳ７０）、コントラスト検出ＡＦ処理後も該口径を維持するようにした。ステップＳ７０へ進む場合には、撮影時に用いられるであろう絞り状態でピント合わせを行った上で、得られる画像の被写界深度を液晶表示部２０の画面で確認することができる。
【００６１】
以上の説明はあくまで一例であり、上記の実施形態の構成に何ら限定されるものではない。
【図面の簡単な説明】
【００６２】
【図１】本発明の一実施の形態による一眼レフ電子カメラの要部構成を説明する図である。
【図２】一眼レフ電子カメラの回路構成を例示するブロック図である。
【図３】ライブビュー処理の流れを説明するフローチャートである。
【図４】撮影処理の流れを説明するフローチャートである。
【符号の説明】
【００６３】
１…一眼レフ電子カメラ
１０…カメラ本体
１１…メインミラー
１３…撮像素子
２０…液晶表示部
５０…鏡筒
５１…レンズ光学系
５２…絞り
１０３…ＤＳＰ
１０６…ＣＰＵ
１１０…ＡＦ制御部
【図１】
2009303113.tif 000003
【図２】
2009303113.tif 000004
【図３】
2009303113.tif 000005
【図４】
2009303113.tif 000006